(57)【要約】【課題】ＣＴシステムで典型的に見受けられるＸ線フォトン線束量で飽和することのない直接変換型エネルギ識別ＣＴ検出器を提供する。【解決手段】エネルギ識別及び直接変換が可能なＣＴ検出器（２０）を開示する。検出器（２０）は、各層が様々な厚みを有するような半導体物質の多数の層（６２、６４）を含んでいる。検出器（２０）は、計数速度性能を最適化すると共に飽和を回避するようにＸ線入射方向（１６）にセグメント分割されて構築されている。【選択図】        図３
2005333138.tif 000002
【特許請求の範囲】
【請求項１】
放射線撮像エネルギ（１６）を、エネルギ感受性計算機式断層写真法（ＣＴ）データを表わす電気信号へ直接変換するように設計されている多重直接変換層（６２、６４）と、
隣り合った直接変換層（６２、６４）の間に介設された電気信号収集層（６７、６９）と、
を備えた直接変換型計算機式断層写真法（ＣＴ）検出器（２０）。
【請求項２】
各々の直接変換層（６２、６４）の片面に隣接して配置されている電圧印加層（６６、６８）をさらに含んでおり、前記直接変換層の反対側の面に前記電気信号収集層（６７、６９）が配置されている、請求項１に記載の検出器（２０）。
【請求項３】
各々の直接変換層（６２、６４）は電気信号収集層（６７、６９）及び電圧印加層（６６、６８）に接触している、請求項２に記載の検出器（２０）。
【請求項４】
各々の直接変換層（６２、６４）は半導体物質で形成されている、請求項１に記載の検出器（２０）。
【請求項５】
前記半導体物質はテルル化カドミウム亜鉛（ＣＺＴ）を含んでおり、前記エネルギ感受性データは物質組成データ及び原子密度データを含んでいる、請求項４に記載の検出器（２０）。
【請求項６】
前記多重直接変換層（６２、６４）はＸ線（１６）透過方向に積層状に構成されており、前記電気信号収集層（６７、６９）は少なくとも１対の直接変換層（６２、６４）からの電気信号を受信するように構成されている、請求項１に記載の検出器（２０）。
【請求項７】
前記多重直接変換層（６２、６４）は、Ｘ線源（１４）に相対的に近い直接変換層（６２）に、前記Ｘ線源（１４）から相対的に遠い直接変換層（６４）よりも多くＸ線（１６）が蓄積するような材料で形成されている、請求項６に記載の検出器（２０）。
【請求項８】
各々の直接変換層（６２、６４）は一様な厚みを有している、請求項１に記載の検出器（２０）。
【請求項９】
第一の直接変換層（６２）は、第二の直接変換層（６４）とは異なる厚みを有し、前記直接変換層（６２、６４）の厚みはＸ線源（１４）からの距離に応じて増加している、請求項１に記載の検出器（２０）。
【発明の詳細な説明】
【技術分野】
【０００１】
本発明は一般的には、診断撮像に関し、さらに具体的には、飽和特性を改善してフォトン数データ及び／又はエネルギ・データを与えることが可能な多層直接変換型ＣＴ検出器に関する。
【背景技術】
【０００２】
典型的には、放射線イメージング・システムでは、Ｘ線源が患者又は手荷物のような被検体又は物体に向かってＸ線を放出する。以下では、「被検体」及び「対象」との用語は、撮像が可能な任意の物体を記述するために互換的に用いられる場合がある。ビームは、被検体によって減弱された後に、放射線検出器のアレイに入射する。検出器アレイで受光される減弱後のビーム放射線の強度は典型的には、Ｘ線の減弱に依存する。検出器アレイの各々の検出器素子が、各々の検出器素子によって受光された減弱後のビームを示す別個の電気信号を発生する。電気信号はデータ処理システムへ伝送されて解析され、解析から最終的に画像が形成される。
【０００３】
幾つかの計算機式断層写真法（ＣＴ）イメージング・システムでは、Ｘ線源及び検出器アレイは、撮像平面内で被検体を中心としてガントリの周りで回転する。Ｘ線源は典型的には、焦点においてＸ線をビームとして放出するＸ線管を含んでいる。Ｘ線検出器は典型的には、検出器で受光されるＸ線ビームをコリメートするコリメータと、コリメータに隣接して設けられておりＸ線を光エネルギへ変換するシンチレータと、隣接するシンチレータから光エネルギを受け取ってここから電気信号を発生するフォトダイオードとを含んでいる。典型的には、シンチレータ・アレイの各々のシンチレータがＸ線を光エネルギへ変換する。各々のフォトダイオードが光エネルギを検出して対応する電気信号を発生する。次いで、フォトダイオードの出力はデータ処理システムへ伝送されて画像再構成を施される。
【０００４】
従来のＣＴイメージング・システムは検出器を用いて放射線撮像エネルギを電流信号へ変換し、電流信号を時間にわたって積算した後に測定して最終的にディジタル化する。かかる検出器の欠点は、検出されたフォトンの数及び／又はエネルギについてのデータ又はフィードバックを与えることができないことである。すなわち、従来のＣＴ検出器はシンチレータ構成要素及びフォトダイオード構成要素を有し、シンチレータ構成要素は放射線撮像エネルギの受光時に発光し、フォトダイオードはシンチレータ構成要素の発光を検出して、発光の強度の関数としての電気信号を与える。ＣＴ撮像が現実性のある診断撮像ツールとなるためには従来のＣＴ検出器設計で達成されている先進技術が欠かせないことは一般に認められているが、これらの検出器の欠点は、エネルギ識別データを与えること、或いは所与の検出器素子若しくはピクセルによって実際に受光されたフォトンの数を数える及び／又はフォトンのエネルギを測定することができないことである。従って、近年の検出器開発は、フォトン計数及び／又はエネルギ識別型のフィードバックを与え得るエネルギ識別直接変換型検出器の設計を含めている。この点で、検出器は、Ｘ線計数モード、各々のＸ線事象のエネルギ測定モード、又はこれら両方で動作するように構成され得る。
【０００５】
これらのエネルギ識別直接変換型検出器は、Ｘ線計数ばかりでなく、検出された各々のＸ線のエネルギ・レベルの測定を行なうことも可能である。直接変換型エネルギ識別検出器の構築には多くの材料が用いられ得るが、半導体が一つの好ましい材料であることが判明している。しかしながら、直接変換型半導体検出器の欠点は、これらの形式の検出器は、従来のＣＴシステムで典型的に遭遇する極めて高いＸ線フォトン線束量（flux rate）では計数を行ない得ないことである。極めて高いＸ線フォトン線束量は最終的には検出器飽和を招く。すなわち、これらの検出器は典型的には、比較的低いＸ線束レベルで飽和する。この飽和は、検出器と放射線撮像エネルギ発生源又はＸ線管との間に載置されている被検体の厚みが小さくなっている検出器位置で生じ得る。これら飽和領域は、検出器ファンのアーク（円弧）に投射される被検体の全幅端部に近い又はその外部の被検体厚みの小さい経路に対応することが判明している。多くの場合に、被検体は、Ｘ線束の減弱及び引き続き生ずる検出器への入射の強度に対する効果としては略円形又は楕円形である。この場合には、飽和領域はファン・アークの両端の離れた２箇所の領域に相当する。典型的というほどではないがよくある他の例では、飽和は、他の位置で、検出器の離れた２箇所よりも多い領域で生ずる。楕円形の被検体の場合には、ファン・アークの両端での飽和は、被検体とＸ線源との間にボウタイ・フィルタを挿入することにより低減される。典型的には、フィルタは、ファン・アークにわたってフィルタ及び被検体の合計減弱を等化するように被検体の形状に合わせて構築される。すると、検出器に入射する線束はファン・アークの全体にわたって比較的一様になり、飽和を生じない。しかしながら、問題となるのは、被検体の集団は一様には程遠く形状が正確に楕円形である訳ではないのでボウタイ・フィルタが最適でない場合があることである。このような場合には、１箇所以上の離れた飽和領域が生ずるか、又は反対にＸ線束が過度に濾波されて極めて低い線束を有する領域が生ずる可能性がある。投影でのＸ線束が小さいと、最終的には被検体の再構成画像の雑音に寄与する。
【特許文献１】米国特許第６７０４３９１号
【発明の開示】
【発明が解決しようとする課題】
【０００６】
検出器の任意の部分の飽和に対処するための多くの撮像方法が開発されてきた。これらの手法には、例えば低管電流又はビュー毎に変調させた電流を用いることにより検出器アレイの全幅にわたって低Ｘ線束を維持するもの等がある。しかしながら、この解決法は走査時間の増大を招く。すなわち、画像取得時間は、画質要件を満たす何らかの本数のＸ線を得るのに必要なノミナル線束に比例して増大するという代償がある。他の解決法としては、飽和したデータの置き換えデータを生成するのに用いられるオーバ・レンジ・アルゴリズムを具現化するものがある。しかしながら、これらのアルゴリズムでは飽和データの置き換えが不完全であり、またＣＴシステムの複雑化に寄与する場合がある。
【０００７】
従って、従来のＣＴシステムで典型的に見受けられるＸ線フォトン線束量で飽和することのない直接変換型エネルギ識別ＣＴ検出器を設計できると望ましい。
【課題を解決するための手段】
【０００８】
本発明は、上述の欠点を克服する極めて高い計数速度での実行を可能にした多層ＣＴ検出器に関するものである。
【０００９】
エネルギ識別及び直接変換が可能なＣＴ検出器を開示する。この検出器は、厚みの異なる半導体物質の多数の層を検出器の全体にわたって含んでいる。この点で、検出器はＸ線入射方向にセグメント分割されて計数速度性能を最適化すると共に飽和を回避するように構築される。
【００１０】
このＣＴ検出器はＸ線フォトン計数ばかりでなく、エネルギ測定又はタグ付け（tagging）もまたサポートする。結果として、本発明は、解剖学的詳細及び組織特徴評価情報の両方の取得をサポートする。この点で、エネルギ識別情報又はデータを用いてビーム・ハードニング等の影響を低減することができる。さらに、これらの検出器は組織識別データの取得をサポートし、従って、疾患又は他の病状を示す診断情報を与える。例えば、プラークにおけるカルシウムのビューでの検出が可能である。また、この検出器を用いて、造影剤、及び標的薬のような他の特殊な物質等の被検体に注入され得る物質の検出、測定及び特徴評価を行なうこともできる。造影剤は例えば、血流を見易くするために血流に注入されるヨウ素を含み得る。かかる検出器の作製方法も開示する。
【００１１】
従って、本発明の一観点によれば、直接変換型ＣＴ検出器が、放射線撮像エネルギを、エネルギ感受性ＣＴデータを表わす電気信号へ直接変換するように設計されている多重直接変換層を含んでいる。この検出器はまた、隣り合った直接変換層の間に介設された電気信号収集層を含んでいる。
【００１２】
もう一つの観点によれば、本発明は、内部中央に配置されたボアを有する回転式ガントリと、ボアを通じて前後に移動可能でありＣＴデータ取得のために被検体を配置するように構成されているテーブルと、回転式ガントリの内部に配置され、放射線撮像エネルギを被検体に向けて投射するように構成されている放射線撮像エネルギ投射源とを有するＣＴシステムを含んでいる。このＣＴシステムはまた、回転式ガントリの内部に配置されて、投射源によって投射され被検体に入射する放射線撮像エネルギを検出するように構成されている検出器アレイを含んでいる。検出器アレイは複数の検出器セルを含んでおり、各々のセルは、エネルギ投射方向に全体的に沿った方向に、放射線撮像エネルギの受光に応答して被検体から取得されるエネルギ感受性データを提供するように設計されている半導体層の積層構成を有している。
【００１３】
もう一つの観点によれば、本発明は、放射線撮像エネルギを電気信号へ直接変換する第一の手段及び第二の手段を有するＣＴ検出器を含んでいる。この検出器はまた、直接変換する第一の手段と直接変換する第二の手段との間に間隙的に配置されている電気信号を受信する手段を有している。
【００１４】
本発明のその他様々な特徴、目的及び利点は以下の詳細な説明及び添付図面から明らかとなろう。
【発明を実施するための最良の形態】
【００１５】
図面は、本発明を実施するために現状で想到される好ましい一実施形態を示している。
【００１６】
４スライス型計算機式断層写真法（ＣＴ）システムに関連して本発明の動作環境を説明する。但し、当業者であれば、本発明がシングル・スライス型構成又は他のマルチ・スライス型構成での利用にも同等に適用可能であることが認められよう。さらに、Ｘ線の検出及び変換に関連して本発明を説明する。しかしながら、当業者は、本発明が他の放射線撮像エネルギの検出及び変換にも同等に適用可能であることをさらに認められよう。
【００１７】
図１及び図２には、計算機式断層写真法（ＣＴ）イメージング・システム１０が、「第三世代」ＣＴスキャナに典型的なガントリ１２を含むものとして示されている。ガントリ１２はＸ線源１４を有しており、Ｘ線源１４は、Ｘ線ビーム１６をガントリ１２の対向する側に設けられている検出器アセンブリ１８に向かって投射する。検出器アセンブリ１８は複数の検出器２０によって形成されており、検出器２０は一括で、患者２２を透過した投射Ｘ線を感知する。各々の検出器２０は、入射Ｘ線ビームの強度を表わすばかりでなくフォトン又はＸ線の計数データを与えることが可能な電気信号、従って患者２２を透過した減弱後のビームを表わす電気信号を発生する。Ｘ線投影データを取得するための１回の走査の間に、ガントリ１２、及びガントリ１２に装着されている構成部品が回転中心２４の周りを回転する。
【００１８】
ガントリ１２の回転及びＸ線源１４の動作は、ＣＴシステム１０の制御機構２６によって制御される。制御機構２６はＸ線制御器２８とガントリ・モータ制御器３０とを含んでおり、Ｘ線制御器２８はＸ線源１４に電力信号及びタイミング信号を供給し、ガントリ・モータ制御器３０はガントリ１２の回転速度及び位置を制御する。制御機構２６内に設けられているデータ取得システム（ＤＡＳ）３２が検出器２０からのデータを精査して、後続の処理のためにこれらのデータをディジタル信号へ変換する。画像再構成器３４が、サンプリングされてディジタル化されたＸ線データをＤＡＳ３２から受け取って高速再構成を実行する。再構成された画像はコンピュータ３６への入力として印加され、コンピュータ３６は大容量記憶装置３８に画像を記憶させる。
【００１９】
コンピュータ３６はまた、キーボードを有するコンソール４０を介して操作者から指令及び走査用パラメータを受け取る。付設されている陰極線管表示器４２によって、操作者は再構成された画像及びコンピュータ３６からのその他のデータを観測することができる。操作者が供給した指令及びパラメータはコンピュータ３６によって用いられて、ＤＡＳ３２、Ｘ線制御器２８及びガントリ・モータ制御器３０に制御信号及び情報を供給する。加えて、コンピュータ３６は、モータ式テーブル４６を制御するテーブル・モータ制御器４４を動作させて、患者２２及びガントリ１２を配置する。具体的には、テーブル４６は患者２２の各部分をガントリ開口４８を通して移動させる。
【００２０】
図３及び図４に示すように、検出器アセンブリ１８は複数の検出器２０を含んでおり、各々の検出器がセル型アレイとして配列されている一定数の検出器素子５０を含んでいる。コリメータ（図示されていない）が、Ｘ線１６のビームが検出器アセンブリ１８に入射する前にＸ線１６をコリメートするように配置されている。図３に示す一実施形態では、検出器アセンブリ１８は５７個の検出器２０を含んでおり、各々の検出器２０が１６×１６のアレイ寸法を有している。結果として、アセンブリ１８は１６行及び９１２列（１６×５７個の検出器）を有し、ガントリ１２の各回の回転で同時に１６枚のスライスのデータを収集することができる。
【００２１】
図４のスイッチ・アレイ５４及び５６は、セル型アレイ５２とＤＡＳ３２との間に結合されている多次元半導体アレイである。スイッチ・アレイ５４及び５６は、多次元アレイとして配列されている複数の電界効果トランジスタ（ＦＥＴ、図示されていない）を含んでおり、多数のセルの出力を結合してデータ取得チャネル数及び関連経費を最低限に抑えるように設計されている。ＦＥＴアレイは、検出器素子５０の各々にそれぞれ接続されている一定数の電気リードと、可撓性電気インタフェイス５８を介してＤＡＳ３２に電気的に接続されている一定数の出力リードとを含んでいる。具体的には、検出器素子出力の約半数がスイッチ５４に電気的に接続されており、検出器素子出力の残り半数がスイッチ５６に電気的に接続されている。各々の検出器２０は、装着用ブラケット６２によって図３の検出器フレーム６０に固定されている。
【００２２】
幾つかの応用では、ＦＥＴアレイの計数速度の制限によってＦＥＴアレイが望ましいものとなっていない場合があることが想到され認められる。この点で、後述するように、各々の検出ピクセル又はセルが電子回路の１個ずつのチャネルに接続される。
【００２３】
スイッチ・アレイ８０及び８２はさらに、所望のスライス数、及び各々のスライスについての所望のスライス分解数に従って検出器素子出力のイネーブル、ディスエーブル及び結合を行なうデコーダ（図示されていない）を含んでいる。デコーダは一実施形態では、当技術分野で公知のデコーダ・チップ又はＦＥＴコントローラである。デコーダは、スイッチ・アレイ５４及び５６並びにＤＡＳ３２に結合されている複数の出力線及び制御線を含んでいる。１６スライス・モードとして定義される一実施形態では、デコーダは、検出器アセンブリ１８の全横列が起動されるようにスイッチ・アレイ５４及び５６をイネーブルにして、結果として、ＤＡＳ３２によって処理される１６スライス分のデータを同時に生成する。言うまでもなく、他の多くのスライスの組み合わせが可能である。例えば、デコーダは、１スライス・モード、２スライス・モード及び４スライス・モードを含めた他のスライス・モードから選択してもよい。
【００２４】
図５に示すように、適当なデコーダ命令を送信することにより、スイッチ・アレイ５４及び５６を４スライス・モードとして構成して、データが検出器アセンブリ１８の１列以上の横列から成る４枚のスライスから収集されるようにすることができる。スイッチ・アレイ５４及び５６の特定の構成に応じて、１列、２列、３列又は４列の検出器素子５０でスライス厚みを構成し得るように検出器２０の様々な組み合わせのイネーブル、ディスエーブル又は結合を行なうことができる。他の例としては、１．２５ｍｍ厚〜２０ｍｍ厚のスライスによる１枚のスライスを含んだシングル・スライス・モード、１．２５ｍｍ厚〜１０ｍｍ厚のスライスによる２枚のスライスを含んだ２スライス・モード等がある。所載以外のモードも想到される。
【００２５】
上述のように、各々の検出器２０は、放射線撮像エネルギを、エネルギ識別データを含む電気信号へ直接変換するように設計されている。本発明は、これらの検出器の幾つかの構成を思量している。これらの実施形態の各々は異なっているが、各々の検出器は二つの共通特徴を共有している。これらの特徴の一つは、半導体フィルム又は半導体層の多層構成である。好適実施形態では、各々の半導体フィルムがテルル化カドミウム亜鉛（ＣＺＴ）から作製される。但し、当業者は、放射線撮像エネルギの直接変換が可能なその他材料を用いてよいことを容易に認められよう。様々な実施形態の間でのもう一つの共通特徴は、半導体層を分離する間隙又は介在の金属化フィルム又は層の利用である。後述するように、これらの金属化層を用いて、半導体層に跨がって電圧を印加すると共に半導体層から電気信号を収集する。
【００２６】
半導体のフォトン計数速度性能が検出器の厚みの自乗の関数であり、放射線撮像エネルギ蓄積過程は指数関数に従うことは周知である。ＣＺＴ検出器の計数速度性能は、次式によって定義することができる。
【００２７】
ＴＴＲ＝Ｌ２／Ｖμｅ
この定義から、厚みＬ＝０．３ｃｍ及び電場Ｖを１０００Ｖ／ｃｍとし、μｅを約１０００とすると、１００万個の最大計数速度を達成することができる。換言すると、３ｍｍ厚のＣＺＴ半導体層の計数速度は、１００万個／秒の範囲の計数速度性能であり得る。しかしながら、後述するように、単一の比較的厚い層ではなく多数の層を備えた直接変換型半導体検出器を構築することにより、計数速度性能を高めることができる。
【００２８】
図６には、本発明の一実施形態による二層ＣＺＴ型又は直接変換型の検出器２０ａの一部が遠近図として示されている。検出器２０ａは、第一の半導体層６２と、第二の半導体層６４とによって画定されている。作製工程では、各々の半導体層６２及び６４は、一定数の検出素子６５を画定する一定数の電子的にピクセル化された構造又はピクセルを有するように構築される。この電子的ピクセル化は、直接変換物質の層６２及び６４の上に電気接点６５の２次元アレイ６７及び６９を付着させることにより達成される。さらに、好適実施形態では、このピクセル化は、各々の半導体層６２及び６４の全幅及び全長にわたって二次元的に画定される。
【００２９】
検出器２０ａは、半導体層６２及び６４のそれぞれのための連続した高電圧電極６６及び６８を含んでいる。各々の高電圧電極６６及び６８は、電源（図示されていない）に接続されており、Ｘ線又はγ線の検出過程時にそれぞれの半導体層に電力を供給するように設計されている。当業者は、各々の高電圧接続層が各々の層のＸ線吸収特性を低減するように比較的薄いものであって、好適実施形態では数百オングストローム厚であることを認められよう。後に詳述するように、これらの高電圧電極を、金属化工程を通じて半導体層に固着させることができる。
【００３０】
図７には、図６の線７−７に沿って見た断面図が各々の半導体層６２及び６４の相対的な厚みを示している。高電圧電極層６６及び６８と同様に、二次元アレイ６７及び６９も放射線撮像エネルギの吸収性は最小限であるものとする。各々のアレイ又は信号収集層は、半導体層によって生成された電気信号をデータ取得システム又は他のシステム電子回路へ出力する機構を提供するように設計されている。当業者は、数百のインターコネクト（図示されていない）を用いて各々の接点６５をＣＴシステム電子回路と接続することを認められよう。
【００３１】
加えて、図７に示すように、半導体層６２及び６４の厚みは互いに異なっている。この点で、半導体層６４よりも半導体層６２の方に多くのＸ線が蓄積する。例えば、半導体層６２の厚みが１ミリメートル（ｍｍ）であり半導体６４の厚みが２ｍｍであるとすると、半導体層６２はＸ線の約７８％を吸収し、第二の半導体層６４はＸ線の約２２％を吸収すると期待される。さらに、第一の半導体層６２は、３ｍｍ厚の単一層半導体よりも約９倍速い最大計数速度を有すると期待される。しかしながら、第一の半導体層６２は合計線束の約７８％を測定するに留まるので、これにより３ｍｍ厚の単一半導体層に比較して有効最大計数速度性能が１１．５倍の増大となる。第二の半導体層６４は、計数速度が単一の３ｍｍ厚半導体よりも２．２５倍速いと期待されるが、合計線束の約２２％を測定するに留まり、これにより、３ｍｍ厚半導体物質の単一層が有すると期待される速度の約１０．２倍の等価又は有効最大計数速度を与える。上述のようなセグメント分割した検出器の計数速度が単一層の半導体物質よりも高まる結果として、検出器２０ａを、計数速度性能の１０倍の増大を与えるように構築することができる。
【００３２】
以上に述べた各寸法は、二層検出器が有し得る最大計数速度の向上を説明するためのものである。しかしながら、２層よりも多い層を用いて計数速度特性を高めたＣＴ検出器を構築し得ることが想到される。例えば、０．４３ｍｍの単一層は、受光したＸ線の約５４％を吸収すると期待され、このようなものとして、単一層の３．０ｍｍ厚半導体の約４０倍の最大計数速度を有する。しかしながら、０．４３ｍｍ層は合計線束の約５４％を吸収するに留まり、３ｍｍ厚の単一半導体層の約９２倍の等価又は有効最大計数速度を与える。付加的な層を追加して９２００％の全計数速度増大を与えることができる。
【００３３】
図８には、ＣＺＴ又は直接変換型検出器の想到されるもう一つの設計が示されている。本実施形態では、検出器２０ｂが、やはり１対の半導体層７４及び７６を含んでいる。上述の実施形態とは対照的に、検出器２０ｂは単一の共通信号収集層又は二次元接点アレイ７８を含んでいる。この単一であるが共通のアレイ７８は、半導体層７４及び７６の両方からの電気信号を収集し、これらの電気信号をＤＡＳ又は他のシステム電子回路へ出力するように設計されている。加えて、検出器２０ｂは１対の高電圧電極８０及び８２を含んでいる。各々の高電圧電極がカソードとして実効的に動作し、二次元アレイ７８の接点がアノードとして動作する。この点で、高電圧接続８０及び８２を介して印加される電圧が、各々の半導体層を通って信号収集接点アレイ７８に至る回路を形成する。
【００３４】
想到されるさらにもう一つの実施形態を図９に示す。この実施形態に示すように、検出器２０ｃが４層の半導体層８４、８６、８８及び９０を含んでいる。検出器２０ｃはさらに、２本の導電線又は導電路９２及び９４を含んでおり、これらの導電路９２及び９４は高電圧電極８７、８９及び９１、並びに収集接点アレイ９３及び９５に電気的に接続されている。導電路９２は接点アレイ９３及び９５からの電気信号を受け取って伝達する。この点で、ＣＴシステムの電子回路への単一のデータ出力が設けられる。単一の信号収集リードと同様に、単一の高電圧接続９４を用いて電極８７、８９及び９１を介して４層の半導体層８４〜９０に電力を供給する。検出器２０ｃは、単一の高電圧接続を必要とするに留まる。
【００３５】
図１０に、本発明のモノリシック型の実施形態を示す。図７の実施形態と同様に、検出器２０ｄが４層の半導体層９６〜１０２を含んでいる。各々の半導体層９６〜１０２は１対の導電層に接続されている。この点で、一方の導電層を電圧の印加に用い、他方の導電層をそれぞれの半導体層によって発生される電気信号の収集に用いる。導電層の数を最小にするために、検出器２０ｄは交互型の導電層アーキテクチャを採用している。すなわち、１層置きの導電層を高電圧接続に用い、残りの導電層を信号収集に用いる。この点で、導電層１０４、１０６及び１０８は比較的高い電圧の印加に用いられ、層１１０及び１１２は信号収集のための接点を含んでいる。このようなものとして、高電圧収集層１０４及び１０８を用いて半導体層９６及び１０２にそれぞれ電圧を印加する。高電圧接続層１０６を用いて半導体層９８及び１００に電圧を印加する。
【００３６】
上述のように、好適実施形態では、各々の半導体層がＣＺＴ材料で構築される。当業者は、かかる半導体を構築するのに用いることのできる多くの手法が存在していることを認められよう。例えば、分子ビーム・エピタキシ（ＭＢＥ）はＣＺＴ材料の各々の薄層を成長させるのに用いることのできる一つの方法である。当業者は、半導体層を金属化して以上に述べた導電性接続を設けるのに多くの手法を用い得ることが認められよう。
【００３７】
さらに、図１１に示すように、金属化を用いて収集接点用の信号フィードスルーを設けてもよい。図示のように、単一層の半導体物質１１４を収集接点のアレイ１１６と高電圧電極層１１８との間に介設する。半導体層１１４を金属化して収集接点アレイ１１６及び高電圧電極層１１８を形成する前に、半導体１１４に孔１２０を蝕刻する或いは形成することができる。次いで、孔１２０を金属化して、それぞれの収集接点１２４からの信号供給経路１２２を形成することができる。信号フィードスルー又は導電路１２２は、近くの連続高電圧電極層１１８と接触しないように孔１２０の内部に構築される。この点で、信号経路を垂直に又はＸ線受光方向に延在させて、検出器を貫通させ、個々の収集接点１２４によって放出される電気信号をＣＴシステム電子回路に伝達するように設計されているバス（図示されていない）に到達させることができる。結果として、Ｘ線方向に一連の薄い積層から成る積層構成が形成される。
【００３８】
図１２について説明する。小荷物／手荷物検査システム１２６が、小荷物又は手荷物を通過させることのできる開口１３０を内部に有する回転式ガントリ１２８を含んでいる。回転式ガントリ１２８は、高周波電磁エネルギ源１３２と、検出器アセンブリ１３４とを収容している。また、コンベヤ・システム１３６が設けられており、コンベヤ・システム１３６は、構造１４０によって支持されており走査のために開口１３０を通して小荷物又は手荷物１４２を自動的に且つ連続的に通過させるコンベヤ・ベルト１３８を含んでいる。対象１４２をコンベヤ・ベルト１３８によって開口１３０内に送り込み、次いで撮像データを取得し、コンベヤ・ベルト１３８によって開口１３０から小荷物１４２を除去することを、制御された連続的な態様で行なう。結果として、郵便物検査官、手荷物積み降ろし員及び他の保安人員が、小荷物１４２の内容物を爆発物、刃物、銃及び密輸品等について非侵襲的に検査することができる。
【００３９】
従って、直接変換型ＣＴ検出器が、放射線撮像エネルギを、エネルギ感受性ＣＴデータを表わす電気信号へ直接変換するように設計されている多重直接変換層を含んでいる。この検出器はまた、隣り合った直接変換層の間に介設された電気信号収集層を含んでいる。
【００４０】
本発明はまた、内部中央に配置されたボアを有する回転式ガントリと、ボアを通じて前後に移動可能でありＣＴデータ取得のために被検体を配置するように構成されているテーブルと、回転式ガントリの内部に配置され、放射線撮像エネルギを被検体に向けて投射するように構成されている放射線撮像エネルギ投射源とを有するＣＴシステムを含んでいる。このＣＴシステムはまた、回転式ガントリの内部に配置されて、投射源によって投射され被検体に入射する放射線撮像エネルギを検出す
るように構成されている検出器アレイを含んでいる。検出器アレイは複数の検出器セルを含んでおり、各々のセルは、エネルギ投射方向に全体的に沿った方向に、放射線撮像エネルギの受光に応答して被検体から取得されるエネルギ感受性データを提供するように設計されている半導体層の積層構成を有している。
【００４１】
本発明はさらに、放射線撮像エネルギを電気信号へ直接変換する第一の手段及び第二の手段を有するＣＴ検出器を含んでいる。この検出器はまた、直接変換する第一の手段と直接変換する第二の手段との間に間隙的に配置されている電気信号を受信する手段を有している。
【００４２】
本発明を好適実施形態について説明したが、明示的に述べたもの以外の均等構成、代替構成及び改変が可能であり、特許請求の範囲に属することが認められよう。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００４３】
【図１】ＣＴイメージング・システムの見取り図である。
【図２】図１に示すシステムのブロック模式図である。
【図３】ＣＴシステム検出器アセンブリの一実施形態の遠近図である。
【図４】ＣＴ検出器の遠近図である。
【図５】４スライス・モードでの図４の検出器の様々な構成の図である。
【図６】本発明による二層検出器の部分遠近図である。
【図７】図６の線７−７に沿って見た断面図である。
【図８】本発明の幾つかの追加実施形態による直接変換型検出器の断面図である。
【図９】本発明の幾つかの追加実施形態による直接変換型検出器の断面図である。
【図１０】本発明の幾つかの追加実施形態による直接変換型検出器の断面図である。
【図１１】図１０に示す断面図で本発明のもう一つの実施形態で形成される信号フィードスルーを示す断面模式図である。
【図１２】非侵襲的小荷物検査システムと共に用いられるＣＴシステムの見取り図である。
【符号の説明】
【００４４】
１０  ＣＴシステム
１２、１２８  ガントリ
１４  Ｘ線源
１６  Ｘ線ビーム
１８、１３４  検出器アセンブリ
２０、２０ａ、２０ｂ、２０ｃ、２０ｄ  検出器
２２  患者
２４  回転中心
２６  制御機構
４２  表示器
４６  モータ式テーブル
４８、１３０  ガントリ開口
５０  検出器素子
５２  セル型アレイ
５４、５６  スイッチ・アレイ
５８  可撓性電気インタフェイス
６０  検出器フレーム
６２  装着用ブラケット（図４）
６２  第一の半導体層（図６）
６４  第二の半導体層
６５  検出器素子（電気接点）
６６、６８、８０、８２、８７、８９、９１、１１８  高電圧電極
６７、６９、７８  二次元接点アレイ
７４、７６、８４、８６、８８、９０、９６、９８、１００、１０２  半導体層
９２、９４  導電路
９３、９５、１１６  収集接点アレイ
１０４、１０６、１０８  高電圧印加用導電層
１１０、１１２  信号収集接点を含む層
１１４  半導体物質
１２０  孔
１２２  信号供給経路
１２４  収集接点
１２６  小荷物／手荷物検査システム
１３２  高周波電磁エネルギ源
１３６  コンベヤ・システム
１３８  コンベヤ・ベルト
１４０  支持構造
１４２  小荷物又は手荷物
【図１】
2005333138.tif 000003
【図２】
2005333138.tif 000004
【図３】
2005333138.tif 000005
【図４】
2005333138.tif 000006
【図５】
2005333138.tif 000007
【図６】
2005333138.tif 000008
【図７】
2005333138.tif 000009
【図８】
2005333138.tif 000010
【図９】
2005333138.tif 000011
【図１０】
2005333138.tif 000012
【図１１】
2005333138.tif 000013
【図１２】
2005333138.tif 000014